(57)【要約】【課題】  従来の技術では、第１の記録媒体に映像音声情報を記録している最中に、前記記録した映像音声情報が、第２の記録媒体何枚分に相当するかをユーザに通知する機能を持つ情報記録再生装置を実現できなかった。【解決手段】  前記課題を解決するため、本発明の情報記録再生装置は、第１の記録媒体に記録した映像音声情報の情報量を監視する手段と、前記記録した映像音声情報の情報量を第２の記録媒体の容量に換算して表示する手段とを有する。前記手段により、ユーザは、第１の記録媒体に映像音声情報を記録している最中に、第２の記録媒体何枚分に相当する映像音声情報を記録したかを容易に知ることができる。【選択図】  図４
2008065918.tif 000002
【特許請求の範囲】
【請求項１】
複数の記録媒体を搭載して当該記録媒体に映像音声情報を記録する情報記録装置であって、
前記記録媒体の記録容量を監視する監視手段と、
情報を表示する表示手段とを備え、
前記監視手段により、第１の記録媒体に前記映像音声情報を記録中に、前記第１の記録媒体に記録した映像音声情報の情報量が、第２の記録媒体に相当する記録容量の整数倍と検知すると、前記表示手段によって、前記第１の記録媒体に記録した映像音声情報の情報量が、第２の記録媒体の記録容量の倍数に達したことを示す情報を出力することを特徴とした情報記録装置。
【請求項２】
請求項１の情報記録装置であって、
前記第１の記録媒体に記録した映像音声情報の情報量が、第２の記録媒体に相当する記録容量の整数倍に達したとき、
前記第１の記録媒体に記録した映像音声情報と第２の記録媒体の記録容量とを対応付けた情報を記録することを特徴とした情報記録装置。
【請求項３】
請求項１の情報記録装置であって、
前記監視手段により、前記第１の記録媒体に記録した映像音声情報の情報量が、第２の記録媒体に相当する記録容量に達したことを検知すると、第２の記録媒体に相当する記録容量の映像音声情報を一単位として区切ることを特徴とした情報記録装置。
【請求項４】
請求項１の情報記録装置であって、
前記第２の記録媒体は、当該情報記録装置から取り外し可能で且つ前記第１の記録媒体よりも記録容量が少ないことを特徴とした情報記録装置。
【請求項５】
請求項１の情報記録装置であって、
前記表示手段は、前記第１の記録媒体に記録した映像音声情報の情報量を前記第２の記録媒体の枚数に換算した表示を出力することを特徴とした情報記録装置。
【請求項６】
請求項２の情報記録装置であって、
前記第１の記録媒体に記録した映像音声情報と第２の記録媒体の記録容量とを対応付けた情報に基づき、ダビングすることを特徴とした情報記録装置。
【請求項７】
請求項１の情報記録装置であって、
日付を指定する日付指定手段を備え、
前記日付指定手段で指定された日に第１の記録媒体に記録した映像音声情報の情報量を監視し、第２の記録媒体に相当する記録容量の整数倍と判断すると、前記表示手段に、前記日付指定手段で指定した日に第１の記録媒体に記録した映像音声情報の情報量が第２の記録媒体の記録容量の整数倍に達したことを示す情報を表示することを特徴とした情報記録装置。
【発明の詳細な説明】
【技術分野】
【０００１】
技術分野は、情報記録装置に関する。特に複数の記録媒体に情報を記録する情報記録装置に係る。
【背景技術】
【０００２】
複数の記録媒体に情報を記録する情報記録装置として、例えば特許文献１がある。
【０００３】
特許文献１には、第一の記録媒体からから第二の記録媒体にデータをコピーする機能を有する記録再生装置が開示されている。
【０００４】
【特許文献１】特開２００５−１８２８６４号公報
【発明の開示】
【発明が解決しようとする課題】
【０００５】
近年、記録媒体としてＤＶＤに代表されるディスクメディアを採用したビデオカメラが登場し、上書きの心配がないことや記録した映像音声情報の再生、検索の容易さから、ＤＶＤカメラの認知度は高まり、市場が拡大してきている。また、ＤＶＤに記録した映像音声情報は長期間保存しても、品質が劣化することがない上、容易に持ち運びできるという長所がある。一方、ＤＶＤの記録容量は、映像音声情報をカメラで記録するためには十分とは言えず、例えば、ＤＶＤ１枚あたり３０分程度の映像音声情報しか記録できないという短所がある。
【０００６】
ところで、小型ハードディスク装置の記録容量も年々増加しており、映像音声情報の記録媒体としてハードディスク装置を採用したカメラ、いわゆるハードディスクカメラも登場してきている。ハードディスク装置は、ＤＶＤと比較して記録容量が大きいため、長時間のカメラ記録ができるという長所がある。さらには、その記録容量の大きさから、従来以上に高品質の映像音声情報を記録することができるという長所がある。一方、ハードディスク装置は高価であるため、カメラに内蔵するのが一般的である。そのため、ＤＶＤカメラとは異なり、記録したデータを持ち運ぶことは容易でない。また、ハードディスク装置は、大容量であると言っても、その容量は有限であるため、全容量を記録してしまった場合には、不要な映像音声情報を削除しない限り、新たな映像音声情報を記録することはできない。すなわち、ハードディスク装置に記録した映像音声情報は、保存用途として不適当である。
【０００７】
そこで、ＤＶＤとハードディスク装置、２つの記録媒体を搭載したビデオカメラが考えられる。このビデオカメラでは、ハードディスク装置の記録容量の大きさとＤＶＤの持ち運びと保存の容易さという、両者の長所を最大限に活かすことができる。このとき、ハードディスク装置に記録した映像音声情報をＤＶＤにダビングする機能を持たせると使い勝手が良い。つまり、ハードディスク装置に記録した映像音声情報を容易に持ち運べるようにするため、または長期保存するために、該映像音声情報をＤＶＤにダビングするという使い方ができる。カメラで記録した映像音声情報は、多くの場合、二度と起こり得ない場面を記録した貴重な情報である。したがって、ユーザは、ハードディスク装置に記録した映像音声情報を、ＤＶＤにダビングして保存するという使い方をする。そのため、ユーザはハードディスク装置に記録した映像音声情報が、ＤＶＤ何枚分に相当するかを常に意識することになる。
【０００８】
しかし、従来の技術では、ハードディスク装置に映像音声情報を記録中、ユーザはＤＶＤ何枚分に相当する映像音声情報を記録したかを知ることができず、使い勝手が悪いという課題があった。
【課題を解決するための手段】
【０００９】
上記課題を解決するために、例えば、第１の媒体（例えばハードディスク）に映像音声情報を記録している時に、第１の媒体に記録した映像音声情報が、第２の媒体（光ディスク）何枚に相当するかをユーザに通知する。
【発明の効果】
【００１０】
上記手段によれば、例えば、第１の媒体に記録した映像音声情報は、第２の媒体何枚分の情報量かをユーザが認識できるので、ユーザは映像音声情報をダビングするために第２の媒体を何枚用意しなければならないかを容易に知ることができるので、使い勝手が良い。
【００１１】
上記以外の課題・手段・効果は、後述する実施例によって明らかにされる。
【発明を実施するための最良の形態】
【００１２】
本発明の実施に好適な実施形態の例を説明する。情報記録装置としてハードディスクドライブ（以下、ＨＤＤと略す）とＤＶＤ（Digital Versatile Disc）ドライブとを内蔵したデジタルビデオカメラ（以下、単にビデオカメラともいう）を用いて説明する。
【００１３】
なお、本発明は、撮影と停止を細かく繰り返して撮影することで一つ一つのシーンが放送番組などに比べると短めなことも多い、放送番組と異なり撮影順に保存することが多い（放送番組だと録画順というより例えば同じドラマなどの括りで記録することが多いのに対し）、主婦が子供を撮影することも多く簡便な操作性が求められる、携帯するために大きなサイズのハードディスクを積むことが難しい、撮影した映像を手軽にプレーヤで再生したい、等の要求があるビデオカメラに特に有効である。ただし、据え置き型のＤＶＤレコーダ等の他の製品にも有効である。
【００１４】
また、ＤＶＤに限定されず、例えばＢＤ（Blu-ray Disc）やＨＤ（High Definition）−ＤＶＤなどの他の光ディスクであってもよい。また、ＨＤＤと光ディスクの組み合わせに限定されず、例えばＨＤＤと半導体メモリ、光ディスクと半導体メモリとの組み合わせであってもよい。
【００１５】
図１は、ビデオカメラの構成例を示すブロック図である。図１において、１０１は、ＣＣＤやマイクなどの映像音声入力部である。１０２は、ＣＰＵ（Central Processing Unit）やメモリを持ち、システム全体を制御するシステム制御部である。１０３は、ユーザインタフェース部であり、ユーザからのボタン操作などの入力情報が入力される。１０４は、映像音声入力部１０１から取り込まれた映像、音声の圧縮を行い、それぞれを多重化してプログラムストリームを生成するストリーム生成部である。１０５は、ストリーム生成部１０４で生成されたプログラムストリームを蓄積したり、各種制御プログラムを格納ておくためのＲＡＭ(Random Access Memory)である。１０７は、ＤＶＤであり、１０８は、ＨＤＤである。ここで、本実施例では、ＨＤＤ１０８は１．８インチで記録容量は８ＧＢ、ＤＶＤ１０７は直径８ｃｍであり、その記録容量はＤＶＤ−ＲＡＭ（Random Access Memory）の場合、１層で約１．４ＧＢである。１０６は、ＤＶＤ１０７とＨＤＤ１０８へのアクセスを制御するドライブ制御部である。１０９は、ＬＣＤ（Liquid Crystal Display）やＥＶＦ（Electric View Finder）などの表示部である。なお表示部１０９は、ＥＬＤ（Electro Luminescence Display）などＬＣＤ以外のディスプレイであってもよい。また、表示部１０９のＬＣＤとＥＶＦをそれぞれ側面表示部、ファインダー部といって区別することもある。なお、図示していないが、映像を再生するための伸張ブロックや音声の出力を行なうスピーカやＤ／Ａコンバータなど一般的なビデオカメラの機能は搭載しているものとする。
【００１６】
まず、本実施例のビデオカメラにおける映像音声情報記録の動作を説明する。ここでは、ＨＤＤ１０８に記録する場合について説明する。
【００１７】
ユーザが、ユーザインタフェース部１０３から映像音声情報の記録開始指示を行なうと、システム制御部１０２が映像音声入力部１０１の制御を開始する。映像音声入力部１０１は、映像音声情報を取り込み、それらをデジタル信号に変換する処理を行う。ストリーム生成部１０４は、取り込まれた映像音声信号をＭＰＥＧ２（Moving Picture Experts Group 2）などの方式で圧縮、符号化し、ストリームを生成する。ここで生成されたストリームは、ＲＡＭ１０５に蓄積されていく。ドライブ制御部１０６は、ＲＡＭ１０５のストリーム蓄積量を監視し、任意の閾値を超えたら、ＨＤＤ１０８にデータを書き込むように制御する。
【００１８】
次に、図２を用いて、本実施例のビデオカメラの電源を投入したときの記録準備処理動作について説明する。本実施例では、特に電源投入の方法に関しては明記していないが、ユーザインターフェース部１０３からユーザの指示により電源ＯＦＦ状態から動画記録や静止画記録を開始する状態に遷移することが可能であり、遷移の際、電源供給部（図示せず）から必要な電源の供給を受ける機構が搭載されているものとする。
【００１９】
電源が投入されると、図２のステップＳ２００において記録準備処理を開始する。ステップＳ２０１ではビデオカメラに装填された記録媒体の状態を調査する。具体的には、装填されている記録媒体が記録可能かどうかを調査する。例えば、その記録媒体は、本実施例のビデオカメラで使用可能な種別か否か、損傷や破壊などがなく正しく情報を読み書き可能か否かなどを調査する。ここで、調査する記録媒体は、電源起動時にユーザが選択した記録モードによって異なる。具体的には、本実施例のビデオカメラでは、ＤＶＤ１０７とＨＤＤ１０８の二つの記録媒体を使用でき、どちらの記録媒体に記録するかは、記録モードによって異なり、ＨＤＤ１０８に記録するモードが選択された場合にはステップＳ２０１でＨＤＤ１０８の状態を調査し、ＤＶＤ１０７に記録するモードが選択された場合にはＤＶＤ１０７の状態を調査する。なお、記録媒体の状態を調査する方法とタイミングはこれに限定されない。例えば、ＨＤＤ１０８に記録するモードが選択された場合に、ＨＤＤ１０８の調査だけでなく、ＤＶＤ１０７を調査しても良い。これにより、例えば、ＨＤＤ１０８に記録した映像音声情報をＤＶＤ１０７にダビングする処理が円滑に行える。もちろん、ＤＶＤ１０７の調査はダビング開始時に実行しても良い。図２の例では、ＨＤＤ１０８の記録モードが選択され、ＨＤＤ１０８の状態のみを調査することとする。
【００２０】
ステップＳ２０２では、ステップＳ２０１の結果を判断し、ＨＤＤ１０８が記録可能な状態であった場合には、ステップＳ２０３に進み、ＨＤＤ１０８の詳細情報を取得する。ここで取得する情報とは、例えば、ＨＤＤ１０８に記録されているシーンの数やデータ量、空き容量などの情報である。
【００２１】
次に、ステップＳ２０４において、ステップＳ２０３で取得した情報を元に、各種情報を算出する。具体的には、ステップＳ２０３で取得したＨＤＤ１０８の空き容量などの情報と選択されている動画の記録ビットレートなどの情報から、動画を記録可能な時間を算出する処理を行う。例えば、動画の記録ビットレートが高い場合と低い場合を比べた場合、記録先のＨＤＤ１０８の空き容量が同じだと仮定すると、ビットレートが高い方が映像音声情報の情報量が多いため、動画を記録可能な時間は短くなる。
【００２２】
次に、ステップＳ２０５において、これまでのステップで取得し、算出した各種情報をＯＳＤ（Ｏｎ Ｓｃｒｅｅｎ Ｄｉｓｐｌａｙ）に表示した後、ステップＳ２０６において、記録準備処理を終了する。
【００２３】
一方、ステップＳ２０２の結果、ＨＤＤ１０８が記録不可能だと判断された場合は、ステップＳ２０７に進み、ユーザに対して「ＨＤＤが破損している可能性があります」などの情報表示を行った後、ステップＳ２０６で処理を終了する。
【００２４】
以上の記録準備処理において、ステップＳ２００〜２０６を完了した場合、本実施例のビデオカメラは、ユーザからの記録開始指示を受ければ、すぐに記録処理を開始できる。一方、ステップＳ２０７を実行した場合には、記録準備処理は正常に完了していないため、ユーザからの記録開始指示を受けても記録処理を開始することはできない。
【００２５】
次に、図３を用いて、ユーザからの記録開始指示を受けた場合の動作を詳細に説明する。
【００２６】
まず、ユーザが、ユーザインタフェース部１０３から映像音声情報の記録開始指示を行なうと、本実施例のビデオカメラは、ステップＳ３００において、映像音声情報記録開始指示を受信し、映像音声情報の記録処理を開始する。
【００２７】
次に、ステップＳ３０１において、映像音声情報を記録することが可能な状態にあるか否かを判断する。具体的には、図２の記録準備処理が正常に完了したか否か、記録媒体に映像音声情報を記録するのに最低限必要な空き容量があるか否か、記録媒体が書込み禁止でないか否か、フォーマットが必要な記録媒体でフォーマットが済んでいるか否か等を判断する。映像音声情報を記録することが可能であると判断した場合、ステップＳ３０２に進み、映像音声情報の記録処理を開始する。具体的な処理シーケンスは、前述の通りであり、詳細な説明は割愛するが、映像音声情報を取り込み、ストリームに変換し、記録媒体（ここでは、ＨＤＤ１０８）に書き込む処理を行う。なお、映像音声情報の記録処理は、処理を並列に、繰り返し実行する。すわなち、記録処理を続けている間は、絶えず映像音声情報がビデオカメラに入力され、ストリームに変換され、記録媒体に書き込まれている。したがって、図３のステップＳ３０２は、ステップＳ３０３とステップＳ３０４と並列に実行されるものとする。
【００２８】
ステップＳ３０３では、記録媒体情報を更新する。具体的には、システム制御部１０２が、記録媒体に記録された映像音声情報の情報量と記録媒体の空き容量を調査し、調査結果情報をメモリに蓄え、最新の調査結果に更新する。さらに、システム制御部１０２は、調査結果に基づき、ＯＳＤの表示情報を更新する。
【００２９】
ステップＳ３０４では、ステップＳ３０３の調査結果から記録媒体の残容量の有無を判断する。その結果、残容量がある場合には、映像音声情報の記録処理を続行する。一方、残容量がない場合には、ステップＳ３０５に進み、映像音声情報の記録ができない旨をユーザに通知する情報を表示する。具体的には、「ＨＤＤ残量がなくなりました」「ＨＤＤ容量がいっぱいになりました」などの情報をＯＳＤに表示する。また、本ステップは、ステップＳ３０１の判断の結果、映像音声情報を記録することができないと判断された場合にも実行される。この場合、「ＨＤＤが破損している可能性があります」「電源を入れなおして下さい」などの情報をＯＳＤに表示すれば良い。ステップＳ３０５終了後は、ステップＳ３０６において映像音声情報の記録処理を終了する。
【００３０】
なお、図３には示していないが、本実施例のビデオカメラは、ユーザがインタフェース部１０３から映像音声情報の記録停止を指示した場合には、システム制御部１０２とドライブ制御部１０６による記録停止処理によって記録を停止する。すなわち、記録媒体の残量があっても、ユーザからの記録停止命令を受けて記録を停止する。記録停止の際には、映像音声情報の管理情報を記録、または更新し、次回の記録がスムーズに行なえるようにしたり、記録した映像音声情報が再生できるような処理を行う。
【００３１】
上記説明したような方法で映像音声情報の記録を実行中、ＨＤＤ１０８に記録した映像音声情報の情報量がＤＶＤ１０６の容量の倍数に達した場合、ＯＳＤを通じてユーザにその旨を通知する。この実施例の詳細について、図４から図７を用いて説明する。
【００３２】
図４は、図３で説明した映像音声情報記録処理に、ステップＳ４００〜４０２で表す処理を追加したものである。ステップＳ３０２の映像音声情報記録処理中に、システム制御部１０２は、ＨＤＤ１０８に記録された映像音声情報の情報量を監視する。ステップＳ４００において、監視しているＨＤＤ１０８に記録された映像音声情報量がＤＶＤ１０６の１枚分の容量の倍数に等しいか否かを調査する。本実施例では、ＤＶＤ１０６の記録容量は、１．４ＧＢと仮定しているため、ＨＤＤ１０８に記録された映像音声情報量が１．４ＧＢの倍数であるとき、例えば、１．４ＧＢ、２．８ＧＢ、４．２ＧＢ、５．６ＧＢ、７．０ＧＢであるか否かを調査する。調査の結果、１．４ＧＢの倍数であった場合には、ステップＳ４０１において区切り目情報を記録する。ここで、区切り目情報とは、ＨＤＤ１０８に記録された映像音声情報をＤＶＤ１枚分の容量に換算したとき、どの範囲の情報がＤＶＤ何枚目に相当するかを示す情報である。なお、ＨＤＤ１０８に記録された映像音声情報量が１．４ＧＢの倍数とあるが、厳密に１．４ＧＢの整数倍である必要はない。１．４ＧＢを超えないことが望ましいが前後数パーセントの誤差は含むものとする。
【００３３】
具体的な例を図５を用いて説明する。図５において、１０８はＨＤＤである。５０１〜５０４は、ＨＤＤ１０８に記録された映像音声情報を概念的に示したものである。ここで、５０１〜５０４の映像音声情報は、１．４ＧＢずつに区切って示している。したがって、各映像音声情報５０１〜５０４の情報量は、ＤＶＤ１枚分の容量に等しく、映像音声情報５０１は１．４ＧＢのＤＶＤ５０５、映像音声情報５０２はＤＶＤ５０６、映像音声情報５０３はＤＶＤ５０７、映像音声情報５０４はＤＶＤ５０８に置き換えることができる。すなわち、映像音声情報５０１は、ＤＶＤに換算すると１枚目、図５ではＤＶＤ５０５に相当し、映像音声情報５０２は、ＤＶＤ２枚目、図５ではＤＶＤ５０６に相当する。以上のことから、ステップＳ４０１において記録する区切り目情報は、各映像音声情報の開始位置と終了位置及び何枚目のＤＶＤに換算されるかを示す情報であれば良い。例えば、映像音声情報５０２であれば、その開始位置と終了位置の情報と、ＤＶＤ２枚目に換算されることを示す情報を記録しておく。あるいは、映像音声情報５０２の開始位置とは、映像音声情報５０１の終了位置と同じであるため、映像音声情報５０１の終了点が記録してあれば、映像音声情報５０２の開始点は記録しなくても良い。
【００３４】
ここで、区切り目情報の記録方法について説明する。前述の通り、区切り目情報とは、各映像音声情報の開始位置と終了位置及び何枚目のＤＶＤに換算されるかを示す情報であり、例えば図６のように、各情報を対応付けたテーブルとして記録すれば良い。図６において、６０１の列はＤＶＤの枚数に換算したときの何枚目かの情報、６０２の列は映像音声情報の開始位置を示す情報、６０３の列は映像音声情報の終了位置を示す情報を示す。これらは、６０４、６０５、６０６、６０７で示す行で対応付けられており、例えば、６０５の行はＤＶＤ２枚目に相当する映像音声情報が開始位置「０：３０：００」と終了位置「１：００：００」の範囲に存在することを示している。なお、図６のようなテーブルの記録先は、システム制御部１０２に内蔵されたメモリでも良いし、ＲＡＭ１０５でも良い。さらには、ＨＤＤ１０８に記録しておいても良い。また、図６のようなテーブルを記録した独自のファイルを作成するように構成しても良い。すなわち、テーブルの情報は、ビデオカメラの電源をＯＮ／ＯＦＦしても削除されないような場所に記録しておけば良く、その記録方法は限定されない。ただし、記録場所によって、テーブルの情報を読み出したり、書き込んだりする処理の時間が異なる可能性があるので、システムの要件に合わせた記録場所を選ぶことが必要である。また、それ以外の方法として、映像音声情報のエントリポイントを用いて制御を行うことも考えられる。
【００３５】
次に、ステップＳ４０２において、ＤＶＤ換算情報を表示する。具体的には、ＨＤＤ１０８に記録した映像音声情報がＤＶＤに換算して何枚分に達したかをＯＳＤに表示すれば良い。例えば、図５において、映像音声情報５０１が１．４ＧＢに達したらＯＳＤに「ＤＶＤ１枚分の動画を記録しました」などの情報を表示し、その後、記録を続けて映像音声情報５０２が１．４ＧＢに達したらＯＳＤに「ＤＶＤ２枚分の動画を記録しました」などの情報を表示すれば良い。図７にＤＶＤ換算情報の表示例を示す。図７−ａは、本実施例のビデオカメラにおける動画記録中のＯＳＤ表示例を示したものである。画面の左上には、動画モードが選択されていることを示す情報、左下には、記録媒体（ＨＤＤ）と記録画質の情報、右上には、記録中を示す情報と記録時間の情報と残り記録時間の情報、右下には、撮影時の時刻と年月日の情報が表示されている。図７−ｂは、動画記録容量がＤＶＤ２枚分に到達したことを表すテキスト情報をＯＳＤに表示することで、ユーザにその旨を通知する例である。図示した通り、「ＤＶＤ ２枚分の動画を記録しました」というテキスト情報を表示している。また、図７−ｃは、動画記録容量がＤＶＤ２枚分に到達したことを概念的なイメージ図で表現した例である。図示した通り、画面の右上、残り記録時間情報の下にディスクのイメージ図とその枚数の情報（×２）をＯＳＤに表示している。表現方法は、図７の例に限定されない。例えば、動画記録容量が増えるにつれてディスクのイメージ図を１枚ずつ増やしても良い。また、動画容量が増えるにつれて、あらかじめ表示しておいたディスクのイメージ図の色を未記録状態と記録済み状態で変えても良い。例えば、動画を２．０ＧＢ記録した状態であれば、１．４ＧＢのＤＶＤ１枚目は記録済みであり、１．４ＧＢのＤＶＤ２枚目を記録中であると換算されるため、ディスクのイメージ図のうち、記録済みの１枚目は黒、記録中の２枚目を点滅、３枚目以降を白で表示するなどの方法が考えられる。
【００３６】
ステップＳ４０２において情報表示を実行した後は、ステップＳ３０４に進む。ステップＳ３０４以降の処理内容は上述の通りであり、ここでは説明しない。なお、図４のステップＳ３０２からステップＳ３０４、ステップＳ４００からステップＳ４０２の処理は、図３の処理と同様に、記録処理を続けている間は、絶えず並列に処理が行われているものとする。すなわち、ＤＶＤ換算情報を表示しながら、入力された映像音声情報はストリームに変換され、記録媒体に書き込まれている。
【００３７】
ステップＳ４００の調査の結果、監視しているＨＤＤ１０８に記録された映像音声情報量がＤＶＤ１枚分の容量の倍数に等しくなかった場合は、ステップＳ４０１とステップＳ４０２は実行せず、ステップＳ３０４に進む。
【００３８】
なお、図４の例では、ステップＳ４００で動画の記録容量がＤＶＤ１枚分の容量である、１．４ＧＢの倍数に達したときに区切り目情報を記録し、ＤＶＤ換算情報を表示したが、例えば、１．４ＧＢに達する少し前に同様の処理を行うようにすると、さらに使い勝手が良い。これを実現するためには、ステップＳ４００の制御方法を変更すれば良い。例えば、システム制御部１０２が監視しているＨＤＤ１０８に記録された映像音声情報量が、あらかじめ設定した閾値に達したら、ユーザにその旨を知らせる表示を行えば良い。閾値は、映像音声情報量を用いることや、映像音声情報の記録時間を用いることが考えられる。例えば、前者の場合は１．２ＧＢ、後者の場合は残り３分まで映像音声情報を記録したら、ユーザに通知を行えば良い。もちろん、この閾値は上述の例に限定されず、使い勝手の良い値に設定して良い。また、本実施例のビデオカメラにおけるメニュー画面などを通じて、ユーザが閾値を設定できるようにしても良い。
【００３９】
なお、本実施例では、ＤＶＤ１枚の記録容量を１．４ＧＢとして説明したが、記録容量が異なるＤＶＤを使用する場合には、この１．４ＧＢの値を変更し、ＤＶＤ（光ディスク）の記録容量に応じた制御を行うようにしても構わない。さらに認識又は入力された光ディスクの種類毎に、この値を自動的に変更するように、光ディスクの種類と最大記録容量との対応をテーブルにして記憶しておき、挿入した光ディスクの種類に合わせて１．４ＧＢの値を変更し、光ディスクの記録容量に応じた制御を行うようにしても構わない。また、複数の層から成るＤＶＤに対応可能にするため、層の数をテーブルに記憶しておいても構わない。また、ＢＤやＨＤ−ＤＶＤであってもよい。また、ＤＶＤの直径は８ｃｍに限定されない。もちろん、ＤＶＤの記録容量に関わらず、ユーザが希望する記録容量に達したら通知を出すように制御しても構わない。また、光ディスクではなくリムーバブルな半導体メモリやリムーバブルなＨＤＤ（ｉＶＤＲなど）であってもよい。
【００４０】
上記説明したように、本実施例のビデオカメラでは、ＨＤＤ１０８に映像音声情報を記録している最中、記録した映像音声情報がＤＶＤ１０６の記録容量の倍数に達すると、ユーザに対してその旨を通知することができる。この効果として、ユーザは、ＨＤＤ１０８に記録した映像音声情報がＤＶＤ１０６何枚分に相当するかを、記録操作中に知ることができる。したがって、ユーザは、ＨＤＤ１０８に記録した映像音声情報をＤＶＤ１０６にダビングするためには、何枚のＤＶＤを用意すれば十分かを容易に知ることができるので使い勝手が良い。
【００４１】
さらに、ＤＶＤ１枚分の記録容量に達する前にユーザに通知を行うようにすると、ユーザは、そろそろ締め括りになる映像音声情報を記録しなければいけない、と考える。すなわち、ユーザはＨＤＤ１０８に映像音声情報を記録中でありながら、記録した映像音声情報をＤＶＤ１０６にダビングしたときのことを想定しながら撮影する。その結果、記録した映像音声情報は、編集作業を行わなくとも、起承転結を想定した構成となるため、ユーザは、記録した映像音声情報を単にダビングするだけで良い。このような使い方は、ＨＤＤを搭載したビデオカメラでは非常に使い勝手が良い。なぜならば、ＨＤＤのように大容量の映像音声情報を記録可能な媒体を使用した場合、ユーザはＨＤＤにデータを溜めてしまうことが多くなり、結果として、記録した映像音声情報を編集せず、やみくもにＤＶＤにダビングすると考えられるためである。
【００４２】
ここで、ダビングの動作について、図８を用いて説明する。本実施例のビデオカメラは、ＤＶＤ１０６とＨＤＤ１０８という、２つの記録媒体を備えている。したがって、一方の記録媒体に記録された映像音声情報を他方の記録媒体にダビングすることができる。まず、ステップＳ８００において、ユーザインタフェース部１０３を介して、ユーザからダビング開始命令を受けると、システム制御部１０２は、ステップＳ８０１において、ダビング元の記録媒体であるＨＤＤ１０８の状態及びダビング先の記録媒体であるＤＶＤ１０６の状態を調査する。次に、ステップＳ８０２では、ステップＳ８０１の調査の結果、２つの記録媒体がダビング可能か否かを判断する。ダビング可能であると判断した場合には、ステップＳ８０３において、ダビング元の記録媒体であるＨＤＤ１０８に記録されている映像音声情報から、ダビングするシーンを選択する。次に、ステップＳ８０４において、ステップＳ８０３で選択したシーンのデータ容量の合計と、ダビング先の記録媒体の容量とを比較する。ステップＳ８０４の結果、ダビング先の記録媒体の容量が、ダビングするシーンのデータ容量の合計以上であった場合、ステップＳ８０５に進み、ダビング処理を実行する。ダビング実行後は、ステップＳ８０６において、ダビングを終了する。一方、ステップＳ８０２において、記録媒体がダビング不可能な状態であった場合には、ステップＳ８０７に進み、ＯＳＤにダビングができない旨の表示を行い、ステップＳ８０６で処理を終了する。また、ステップＳ８０４の調査の結果、ダビング先の記録媒体の容量が、ダビングするシーンのデータ容量の合計未満であった場合、ダビングを実行することはできないので、再度、ステップＳ８０３においてダビングシーンの選択を行う。もちろん、ステップＳ８０６に進み、ダビング処理を終了しても良い。
【００４３】
ここで、ダビング時には動画記録中に記録しておいた区切り目情報を参照し、ダビングを実行する。例えば、図６の６０４の行は、ＨＤＤ１０８に記録した映像音声情報をＤＶＤ１枚目に換算したときの区切り目を示すため、区切り目情報に基づいてダビングを実行すれば、容易にＤＶＤを作成することができる。もちろん、このようにしてダビングして作成されたＤＶＤは、ユーザが記録時に想定した通りの内容であることから、編集の手間が不要であり、使い勝手が良い。また、区切り目情報に基づいてダビングを実行するため、容易にダビング可能であり、また、編集の手間が不要なため、ダビングや編集の操作に不慣れなユーザでも簡単に想定した通りのＤＶＤを作成できる。
【００４４】
なお、上記説明した映像音声情報の記録やダビング処理は、記録媒体であるＨＤＤ１０８に、既存のデータが存在しないことを仮定していた。しかし、実際は、既存のデータが存在する場合は容易に起こり得る。例えば、図９のような場合が考えられる。図９の例では、ＨＤＤ１０８に、映像音声情報が、９０１〜９０４として記録されているものとする。このうち、９０１は１．０ＧＢ分の既存映像音声情報であり、ユーザが記録したまま放置していた情報と仮定する。追記映像音声情報９０２〜９０４は、既存映像音声情報９０１が存在するＨＤＤ１０８に追記された映像音声情報である。このようなとき、既存映像音声情報９０１を除き、追記映像音声情報のみをＤＶＤにダビングできると使い勝手が良い。このような制御を行うためには、一例として、映像音声情報の日付情報を用いれば良い。詳細を図１０を用いて説明する。
【００４５】
図１０は、図４の処理フローにステップＳ１０００、ステップＳ１００１を追加し、ステップＳ４００をステップＳ１００２に置き換えたものである。ここでは、図４の説明と処理内容が異なる部分だけを説明する。まず、ステップＳ１０００において、本制御に用いる日付情報を作成するための日付の指定を行う。ここで指定する情報は、例えば、２００６年１月１日に記録する映像音声情報に対してのみ、記録中のＤＶＤ換算情報の表示を行い、また、それに付随する区切り目情報の設定を行うために用いられる。もちろん、年月日だけでなく、時刻情報などを加えれば、より詳細な制御が可能になる。また、ステップＳ１０００は、ステップＳ３００以前に実施しておいても構わない。その後、ステップＳ３０２以降で映像音声情報の記録を行う。記録中に実行されるステップＳ１００１において、システム制御部１０２が、ステップＳ１０００で指定された日付に記録された映像音声情報の記録容量を随時更新、管理する。次にステップＳ１００２において、指定された日付に記録された映像音声情報の記録容量が、ＤＶＤ１０６の１枚分の容量の倍数に等しいか否かを調査する。指定された日付に記録された映像音声情報の記録容量が、ＤＶＤ１０６の１枚分の容量の倍数に等しかった場合は、ステップＳ４０１で区切り目情報を記録し、Ｓ４０２でＤＶＤ換算情報を表示する。このとき、ＤＶＤ換算情報には、指定された日付を含め、例えば、「２００６年１月１日にＤＶＤ１枚分の動画を記録しました」などの表示を出すと、使い勝手が良い。また、区切り目情報には、ステップＳ１０００で指定した日付情報をあわせて記録しておいても良い。
【００４６】
以上、説明した通り、日付情報を用いることにより、ＨＤＤ１０８に既存映像音声情報９０１が存在したときでも、本実施例の効果が得られる。もちろん、ダビング時にも、日付情報を用いることで、ユーザが指定した日に記録された映像音声情報のみ、簡単にＤＶＤにダビングすることができる。
【００４７】
なお、本実施例では、動画の記録方式はＭＰＥＧ２として説明したが、記録方式はこれに限定されず、例えばＭＰＥＧ４などの方式を採用しても良い。また、記録媒体によっては、静止画を記録することも可能であり、その場合は、ＪＰＥＧ（Joint Photographic Experts Group）などの方式で記録される。
【図面の簡単な説明】
【００４８】
【図１】情報記録再生装置の構成例を示すブロック図
【図２】映像音声情報記録準備の処理フロー例を示す図
【図３】映像音声情報記録の処理フロー例を示す図
【図４】ＤＶＤ換算情報通知の処理フロー例を示す図
【図５】ＨＤＤのＤＶＤ換算概念の一例を示す図
【図６】区切り目情報の一例を示す図
【図７】動画記録中のＤＶＤ換算情報通知表示の一例を示す図
【図８】ダビングの処理フロー例を示す図
【図９】既存映像情報を含むＨＤＤのＤＶＤ換算概念の一例を示す図
【図１０】日付指定ＤＶＤ換算情報通知の処理フロー例を示す図
【符号の説明】
【００４９】
１０１…映像音声入力部、１０２…システム制御部、１０３…ユーザインターフェース部、１０４…ストリーム生成部、１０５…ＲＡＭ、１０６…ドライブ制御部、１０７…ＤＶＤ、１０８…ＨＤＤ、１０９…表示部、Ｓ２００〜Ｓ２０７…図２の処理フロー内容、Ｓ３００〜Ｓ３０６…図３の処理フロー内容、Ｓ４００〜Ｓ４０２…図４の処理フロー内容、５０１〜５０４…１．４ＧＢの映像音声情報、５０５〜５０８…１．４ＧＢのＤＶＤ、６０１〜６０７…区切り目情報、Ｓ８００〜Ｓ８０７…図８の処理フロー内容、９０１…１．０ＧＢの既存映像音声情報、９０２〜９０４…１．４ＧＢの追記映像音声情報、９０５〜９０７…１．４ＧＢのＤＶＤ、Ｓ１０００〜Ｓ１００２…図１０の処理フロー内容
【図１】
2008065918.tif 000003
【図２】
2008065918.tif 000004
【図３】
2008065918.tif 000005
【図４】
2008065918.tif 000006
【図５】
2008065918.tif 000007
【図６】
2008065918.tif 000008
【図７】
2008065918.tif 000009
【図８】
2008065918.tif 000010
【図９】
2008065918.tif 000011
【図１０】
2008065918.tif 000012